(57)【要約】【課題】  外部から衝撃力が加わると、対物レンズ７と光ディスク２の盤面との衝突を防止することができなかった。【解決手段】  対物レンズ７と光ディスク２との衝突を防止するために、光ヘッド部５の上部に設けたストッパ１２を通常は光ヘッド部５と一定の間隔を保つようにフォーカス方向に低周波数で駆動させ、衝撃力が加わった時には光ヘッド部５がストッパ１２に当接し、対物レンズと光ディスクとの衝突を防止するための制動部１３を有する光学ヘッドの光ディスクとの衝突防止機構を提供する。【選択図】      図１
2006313582.tif 000002
【特許請求の範囲】
【請求項１】
サスペンション部と、
前記サスペンション部によって前記対物レンズをフォーカス方向に揺動する光ヘッド部と、
前記光ヘッド部が光ディスクの盤面を走査可能とするように、前記光ヘッド部を駆動する駆動部と、
前記対物レンズと前記光ディスクの盤面との衝突を防止するために、前記光ヘッド部の光ディスク側の上方に設けたストッパと、
衝撃力が加わらない時には前記ストッパと前記光ヘッド部とが一定の間隔を保つように前記ストッパを低周波数で駆動し、衝撃力が加わった時には前記光ヘッド部に前記ストッパを当接して前記光ヘッド部を制動し前記対物レンズと前記光ディスクとの衝突を防止する制動部とを有することを特徴とする光学ヘッドの光ディスクとの衝突防止機構。
【発明の詳細な説明】
【技術分野】
【０００１】
本発明は、光ヘッド（＝光ピックアップ）装置を構成する、光学ヘッドの光ディスクとの衝突防止機構に関する。
【背景技術】
【０００２】
従来の光ヘッドの光ディスクとの衝突防止機構では、光ヘッドと光ディスクの盤面との衝突を防止するためのストッパは固定であり、このストッパはフォーカス方向に駆動されることはなかった。また、対物レンズ以外の光ヘッドを構成する部分を光ディスクの盤面に衝突させることで、対物レンズと光ディスクとの衝突を防止していた。
【０００３】
図６は従来例の全体斜視図である。従来の方式では、図６に示すように、光ヘッドと光ディスクとの衝突を防止するストッパ１４は固定である。また対物レンズ以外の部分を光ディスクに衝突させる方法がある（特開平０５−１０９０９８号公報）。
【特許文献１】特開平０５−１０９０９８号公報
【発明の開示】
【発明が解決しようとする課題】
【０００４】
図６に示した衝突防止機構では、光ヘッドと光ディスクとの衝突を防止するストッパは固定であり、高記録密度化を図るために対物レンズのワーキング・ディスタンスを短くすると、図示せぬスピンドルモータの取付け公差や光ディスクの面ブレ等の公差の累積が大きくなり、ストッパが固定では光ヘッドと光ディスクとの衝突を防止することができないという問題点があった。
【０００５】
また、対物レンズ以外の部分をディスクに衝突させる方法では光ディスクを傷つける可能性があった。
本発明は、かかる問題を解決すべくなされたものであり、対物レンズと光ディスクとの衝突を防止するためのストッパを通常は光ヘッド部と一定の間隔を保つようにフォーカス方向に低周波数で駆動させ、衝撃力が加わった時に光ヘッド部をストッパに当接させることにより、対物レンズのワーキング・ディスタンスが短い場合でも、スピンドルモータの取付け公差や光ディスクの面ブレ等の累積公差を吸収でき、衝撃力が加わった時のみストッパを働かせ、対物レンズと光ディスクとの衝突を防止することが可能である光学ヘッドの光ディスクとの衝突防止機構を提供することを目的とする。
【課題を解決するための手段】
【０００６】
本発明は、上述した課題を解決するため、次の構成を有する光学ヘッドの光ディスクとの衝突防止機構を提供する。
図1に示すように、サスペンション部６と、
前記サスペンション部６によって前記対物レンズ７をフォーカス方向（図２、図３に示す矢印方向）に揺動する光ヘッド部５と、
前記光ヘッド部５が光ディスク２の盤面を走査可能とするように、前記光ヘッド部５を駆動する駆動部（フォーカス・コイル駆動部２２、図５に図示）と、
前記対物レンズ７と前記光ディスク２の盤面との衝突を防止するために、前記光ヘッド部５の光ディスク側の上方に設けたストッパ１２と、
衝撃力が加わらない時には前記ストッパ１２と前記光ヘッド部５とが一定の間隔ΔＨを保つように前記ストッパ１２を低周波数で駆動し、衝撃力が加わった時には前記光ヘッド部５に前記ストッパ１２を当接して前記光ヘッド部５を制動し前記対物レンズ７と前記光ディスク２との衝突を防止する制動部（バイモルフ型圧電アクチュエータ）１３とを有することを特徴とする光学ヘッドの光ディスクとの衝突防止機構。
【発明の効果】
【０００７】
本発明によれば、対物レンズと光ディスクとの衝突を防止するためのストッパを通常は光ヘッド部と一定の間隔を保つようにフォーカス方向に低周波数で駆動させ、衝撃力が加わった時に光ヘッド部をストッパに当接させることにより、対物レンズのワーキング・ディスタンスが短い場合でも、スピンドルモータの取付け公差や光ディスクの面ブレ等の累積公差を吸収でき、衝撃力が加わった時のみストッパを働かせ、対物レンズと光ディスクとの衝突を防止することが可能である光学ヘッドの光ディスクとの衝突防止機構を提供することができる。
【発明を実施するための最良の形態】
【０００８】
以下、本発明の光学ヘッドの光ディスクとの衝突防止機構を実施するための最良の形態を、図１〜図５を用いて説明する。図１は本発明の全体斜視図、図２〜図４は本発明の衝突防止機構の動作を説明するための図、図５は衝突防止機構の駆動回路図である。１はシャーシ、２は光ディスク、３はスイングアーム式光ピックアップ装置、４は軸受部、５は光ヘッド部、６は板バネ（サスペンション部）、７は対物レンズ、８はフォーカス・コイル、９はフォーカス・マグネット、１０はトラッキング・コイル、１１はトラッキング・マグネット、１２はストッパ、１３はバイモルフ型圧電アクチェータ。
【０００９】
本発明は、次の構成を有する光学ヘッドの光ディスクとの衝突防止機構である。
図1に示すように、サスペンション部６と、
前記サスペンション部６によって前記対物レンズ７をフォーカス方向（図２、図３に示す矢印方向）に揺動する光ヘッド部５と、
前記光ヘッド部５が光ディスク２の盤面を走査可能とするように、前記光ヘッド部５を駆動する駆動部（フォーカス・コイル駆動部２２、図５に図示）と、
前記対物レンズ７と前記光ディスク２の盤面との衝突を防止するために、前記光ヘッド部５の光ディスク側の上方に設けたストッパ１２と、
衝撃力が加わらない時には前記ストッパ１２と前記光ヘッド部５とが一定の間隔ΔＨを保つように前記ストッパ１２を低周波数で駆動し、衝撃力が加わった時には前記光ヘッド部５に前記ストッパ１２を当接して前記光ヘッド部５を制動し前記対物レンズ７と前記光ディスク２との衝突を防止する制動部（バイモルフ型圧電アクチュエータ）１３とを有することを特徴とする光学ヘッドの光ディスクとの衝突防止機構である。
【００１０】
本実施例では、スイングアーム方式のピックアップについて説明するが、フィード方式のピックアップについても同様の機構により光ヘッド部５と光ディスク２との衝突を防止することができる。
【００１１】
図１に示すように、スイングアーム３は光ディスク２の下部（盤面側）にレイアウトされ、軸受部４により回動自在に支持されており、その先端部には光ヘッド部５が２枚の板バネのサスペンション６により対物レンズ７のフォーカス方向に移動可能なように取付けられている。光ヘッド部５の先端に設けられたフォーカス・コイル８と、シャーシ１に固定されフォーカス・コイル８に対面した半円弧状のフォーカス・マグネット９によりフォーカス方向に光ヘッド部５を駆動させることができる。また、光ヘッド部５の反対側に取付けられたトラッキング・コイル１０と、シャーシ１に固定されトラッキング・コイル１０に対面した半円弧状のトラッキング・マグネット１１により回転軸を中心にスイングアーム３を回動させ、トラッキング方向に光ヘッド部５を駆動させることができる。
【００１２】
本発明は、対物レンズ７と光ディスク２との衝突を防止するために、光ヘッド部５の上部（光ディスク２が載置されている側の上方）にストッパ１２を設け、図２〜図４に示すように、そのストッパ１２をバイモルフ型圧電アクチェータ１３により、通常は光ヘッド部５と一定の間隔ΔＨを保つようにフォーカス方向に光ディスク２の回転周期程度の低周
波数で駆動させ、図示せぬ光ディスク回転駆動用のスピンドルモータの取付け公差や光ディスク２の面ブレ等の公差を吸収する。光ヘッド部５とストッパ１２との間隔を一定に保つためには、光学ヘッド部５を駆動するフォーカス・コイル８に加える電圧を検出し、変位量を推定してストッパ１２の駆動量にフィードパックさせる。一方、衝撃力が加わった時には、ストッパ１２は低周波数で駆動されているため瞬間的な入力には反応せず、図４に示すように光ヘッド部５はストッパ１２に当接し、対物レンズ７と光ディスク２との衝突を防止することができる。
【００１３】
図４に、本発明の衝突防止機構の駆動回路図を示す。
同図に示すように、光学ヘッド部５のフォーカスサーボ回路としては、フォーカスエラー検出部２４、位相補償部２１、フォーカスコイル駆動部２２から成る回路がある。光ディスク２を光ヘッド部5が走査して得た反射光を光検出部（例えば４分割）、光電変換部、ローパスフィルタ（いずれも図示せず）を介して得た光ディスク２の面ブレによる焦点ズレをフォーカスエラー検出部２４で検出し、位相補償部２１でサーボの位相特性を改善し、フォーカスコイル駆動部２２でフォーカス・コイル８を駆動する。レンズ変位がフォーカスエラー検出部にフィードバックされクローズドループの制御を行っている。
【００１４】
一方、衝突防止機構の駆動回路は、フォーカスサーボ回路のフォーカスコイル駆動部２２から駆動電圧を取出し、光ディスク２の面ブレ等を吸収するために光ディスク回転周期程度の低周波数のローパスフィルター２３をかけ、圧電素子駆動部２４で圧電素子（＝バイモルフ圧電アクチュエータ（制動部））１３を駆動する。
【００１５】
この駆動回路により、ストッパ１２をフォーカス方向に光ディスク２の回転周期程度の低周波数で駆動することができ、図２、図３のように、通常はストッパ１２を光ヘッド部5と一定の間隔ΔＨを保つように駆動させることができる。一方、衝撃力が加わった時に
は、ストッパ１２はローパスフィルタ２３を通して駆動されているため瞬間的な入力には反応せず、図４のように光ヘッド部５はストッパ１２に当接し、対物レンズ７と光ディスク２との衝突を防止することができる。
【図面の簡単な説明】
【００１６】
【図１】本発明の全体斜視図
【図２】本発明の衝突防止機構の動作を説明するための図
【図３】本発明の衝突防止機構の動作を説明するための図
【図４】本発明の衝突防止機構の動作を説明するための図
【図５】衝突防止機構の駆動回路図
【図６】従来例の全体斜視図
【符号の説明】
【００１７】
２…光ディスク
５…光ヘッド部
６…サスペンション部
７…対物レンズ
１２…ストッパ
１３…バイモルフ圧電アクチュエータ（制動部）
２２…フォーカス・コイル駆動部（駆動部）
【図１】
2006313582.tif 000003
【図２】
2006313582.tif 000004
【図３】
2006313582.tif 000005
【図４】
2006313582.tif 000006
【図５】
2006313582.tif 000007
【図６】
2006313582.tif 000008